(57)【要約】【課題】塗布器具と液剤を収納した塗布器具包装体において、液剤収納部の押圧によって液剤を含浸させる際、液剤を塗布器具の把持部に飛散させることなく塗布器具の液剤含浸部に含浸させ、また、開封時の塗布器具の取り出しを容易にする塗布器具包装体を提供する。【解決手段】塗布器具収納部５と液剤１１の間に設けられた連結道７を液剤１１が通過する際、液剤１１同士が衝突するように連結道７を構成することで、液剤１１の吐出速度を低下させ、液剤１１が塗布器具１５の把持部３にまで飛散することを防止し、また、塗布器具１５の取り出しを容易にする部位まで蓋材フィルム１２が剥離でき、剥離した蓋材フィルム１２が再びカップ材１３を覆うことがないよう蓋材フィルム１２に熱加工処理を施すことで、塗布器具１５の取り出しを容易にする。【選択図】図５
2008120450.tif 000002
【特許請求の範囲】
【請求項１】
液剤含浸部と把持部を備えた塗布器具を収納する塗布器具収納部と、液剤を収納する液剤収納部の少なくとも２つの収納部を設け、前記塗布器具収納部と前記液剤収納部の間に設けられた破裂部を、前記液剤収納部の押圧によって連通し、液剤を前記液剤含浸部に含浸させるよう構成した塗布器具包装体において、前記液剤収納部の押圧により液剤を前記液剤含浸部に合浸させる際に、液剤同士を衝突させることにより、塗布器具の把持部等への液剤の飛散を防止したことを特徴とする塗布器具包装体。
【請求項２】
塗布器具使用時に蓋材フィルムを剥がす際、蓋材フィルムが塗布器具を容易に取り出すことができる部位までしか容易に剥がし得ないことを特徴とする請求項１記載の塗布器具包装体。
【請求項３】
塗布器具を取り出す際、剥がした蓋材フィルムが再びカップ材の剥離した部位を覆うことがないよう蓋材フィルムに熱加工処理を施したことを特徴とする請求項１または請求項２記載の塗布器具包装体。
【発明の詳細な説明】
【技術分野】
【０００１】  本発明は、塗布器具と共に塗布器具に含浸させる液剤を収納した塗布器具包装体に関するものである。
【背景技術】
【０００２】  従来、殺菌、消毒または治療時においては、目的を達成し得る液剤が収納されている容器を用意し、たとえば綿棒などの塗布器具を液剤が収納されている容器に入れることで液剤を塗布器具に含浸させ、液剤を目的とする部位へ塗布していた。【０００３】  しかしながら、緊急時においても塗布器具と液剤の双方を準備する必要があること、また、容器に収納されている液剤が１回使用分とは限らず、そのため使用の度に塗布器具の液剤含浸部を含浸させることになり、容器内の液剤を使い回すことにより非衛生的になるという問題（院内感染など）があった。【０００４】  この問題を解決すべく、液剤と共にたとえば綿棒などの塗布器具を同封し、予め塗布器具の液剤含浸部に液剤を含浸させて包装されたものもあるが、輸送中または保管中に把持部にまで液剤が付着し、使用を困難にしているほか、液剤が常に含浸していることから液剤含浸部が劣化する、または液剤が変性するという問題があった。【０００５】  そこで、特許文献１に記載されているように、複数の収納部を設け、塗布器具と液剤を別々に収納し、これらを分離帯を介して配置し、液剤収納部を押圧することにより分離帯を連通して使用直前に塗布器具の液剤含浸部に液剤を含浸させるよう構成されたものが登場している。
【特許文献１】特開２００３−２９２０４１号公報
【発明の開示】
【発明が解決しようとする課題】
【０００６】  しかしながら、塗布器具と液剤を別々の収納部に収納し、塗布器具包装体を開封する前に液剤収納部を押圧することによって塗布器具の液剤含浸部に液剤を含浸させるよう構成されたものは、液剤収納部を押圧し、液剤を塗布器具の液剤収含浸部に含浸する際に、液剤が破裂部を破裂した時の速度のままであり、その結果、液剤が塗布器具の把持部等へ飛散する問題がある。【０００７】  また、塗布器具と共に袋またはカプセルに液剤を収納した液剤収納体を同封して包装し、液剤収納体を押圧することで破裂させ、液剤を塗布器具の液剤含浸部に含浸させるよう構成されたものも、同様に液剤が塗布器具の把持部等へ飛散する問題がある。【０００８】  また、塗布器具包装体を開封する際、塗布器具を取り出すのに最適な部位で蓋材フィルムを止めることができず、未剥離の蓋材フィルムにより塗布器具の取り出しを妨害される、または、液剤収納部まで剥がしてしまうことにより、液剤収納部に残存する液剤が零れ、または飛散し、手や衣服、床面を汚すといった問題がある。【０００９】  さらには、塗布器具包装体から塗布器具を取り出す際、剥がした蓋材フィルムが再びカップ材の剥離した部位を覆うことにより、塗布器具の取り出しを困難にする問題もある。【００１０】  本発明は、上記の実状に鑑みてなされたもので、液剤と塗布器具を別々に収納した塗布器具包装体において、塗布器具の液剤含浸部に、液剤を飛散させることなく含浸させ、塗布器具包装体の開封時における塗布器具の取り出しを安全かつ容易にし得る塗布器具包装体を提供する。
【課題を解決するための手段】
【００１１】  請求項１記載の塗布器具包装体は、液剤含浸部と把持部を備えた塗布器具を収納する塗布器具収納部と、液剤を収納する液剤収納部の少なくとも２つの収納部を設け、前記塗布器具収納部と前記液剤収納部の間に設けられた破裂部を、前記液剤収納部の押圧によって連通し、液剤を前記液剤含浸部に含浸させるよう構成した塗布器具包装体において、前記液剤収納部の押圧により液剤を前記液剤含浸部に含浸させる際に、液剤同士を衝突させることにより、塗布器具の把持部等への液剤の飛散を防止したことを特徴とする塗布器具包装体に係るものである。【００１２】  請求項１記載の塗布器具包装体によれば、液剤収納部の押圧により破裂部を破裂させた時に吐出する液剤が連結道を通過する際に、液剤同士が衝突することで、液剤の吐出速度を低下させ、塗布器具の把持部等へ液剤が飛散することを防止させることができる。【００１３】  請求項２記載の塗布器具包装体は、塗布器具使用時に蓋材フィルムを剥がす際、蓋材フィルムが塗布器具を容易に取り出すことができる部位までしか容易に剥がし得ないことを特徴とする請求項１記載の塗布器具包装体に係るものである。【００１４】  ここで、容易に取り出すことができる部位とは、塗布器具を取り出す際にカップ材から未剥離の蓋材フィルムによって取り出しを妨害される、または蓋材フィルムを液剤収納部まで剥がしてしまうことにより、液剤収納部に残存する液剤が零れ、または飛散し、手や衣服、床面等を汚すことを避けて塗布器具を塗布器具包装体から取り出すことができる部位を示す。【００１５】  請求項２記載の塗布器具包装体によれば、塗布器具包装体開封時に、蓋材フィルムを剥がしていく際、塗布器具を容易に取り出すことができる部位で蓋材フィルムが止まるため、カップ材から未剥離の蓋材フィルムに妨害されることなく塗布器具を塗布器具包装体から取り出すことができ、また蓋材フィルムを液剤収納部まで剥がしてしまうことにより、液剤収納部に残存する液剤が零れ、または飛散し、手や衣服、床面等を汚すことを防ぐことができる。【００１６】  請求項３記載の塗布器具包装体は、塗布器具を取り出す際、剥がした蓋材フィルムが再びカップ材の剥離した部位を覆うことがないよう蓋材フィルムに熱加工処理を施したことを特徴とする請求項１または請求項２記載の塗布器具包装体に係るものである。【００１７】  ここで、蓋材フィルムが再びカップ材の剥離した部位を覆うことがないとは、たとえば手で蓋材フィルムを剥がした後、その手を蓋材フィルムから離しても、蓋材フィルムが自らカップ材の剥離した部位を覆うことがないことを示す。【００１８】  請求項３記載の塗布器具包装体によれば、たとえば手で蓋材フィルムを剥がした後、その手を蓋材フィルムから離しても、剥がした蓋材フィルムが再びカップ材の剥離した部位を覆うことがないため、蓋材フィルムに妨害されることがなく、塗布器具の取り出しが容易になる。【００１９】  なお、請求項１〜３記載の塗布器具の液剤含浸部は、綿、レーヨン、ポリエステルなどの合成繊維、スポンジ、ブラシ等、液剤を含浸することができるものであれば、材質及び形状は問わないものである。【００２０】  また、請求項１〜３記載の塗布器具の把持���は、木、紙、プラスティック、金属等、液剤含浸部を把持できるものであれば、材質及び形状は問わないものである。【００２１】  さらに、請求項１〜３記載の液剤は、ポビドンヨード液、エタノール液、グルコン酸クロルヘキシジン液等の消毒薬をはじめ、塗布器具によって塗布する目的で、かつ、包装可能な液剤であれば、これに限定されるものではない。
【発明の効果】
【００２２】  請求項１記載の塗布器具包装体によれば、液剤収納部の押圧により破裂部を破裂させた時に吐出する液剤が連結道を通過する際に、液剤同士が衝突することで、液剤の吐出速度を低下させ、塗布器具の把持部等へ液剤が飛散することを防止させることができる。【００２３】  請求項２記載の塗布器具包装体によれば、塗布器具包装体開封時に、蓋材フィルムを剥がしていく際、塗布器具を容易に取り出すことができる部位で蓋材フィルムが止まるため、蓋材フィルムに妨害されることなく塗布器具を塗布器具包装体から取り出すことができ、また蓋材フィルムを液剤収納部まで剥がしてしまうことにより、液剤収納部に残存する液剤が零れ、または飛散し、手や衣服、床面等を汚すことを防ぐことができる。【００２４】  請求項３記載の塗布器具包装体によれば、たとえば手で蓋材フィルムを剥がした後、その手を蓋材フィルムから離しても、剥がした蓋材フィルムが再びカップ材の剥離した部位を覆うことがないため、塗布器具の取り出しが容易になる。
【発明を実施するための最良の形態】
【００２５】  以下、本発明を実施するための形態例を図と共に説明する。
【実施例１】
【００２６】  図１〜図３は、本発明における塗布器具包装体の実施例１を示している。【００２７】  実施例１の塗布器具包装体１は、蓋材フィルム１２とカップ材１３とで構成されており、カップ材１３は、液剤を収納する液剤収納部４と、塗布器具１５の形状に沿い、また、塗布器具１５の把持部３の取り出しを容易にするために隙間を１４設けた凹状の塗布器具収納部５を形成している。【００２８】  また、蓋材フィルム１２とカップ材１３をシール（熱接着）することで液剤１１と塗布器具１５を内封するとともに、シール部９は蓋材フィルム１２をカップ材１３より引き剥がし得る（ピールオープン）ように構成されている。【００２９】  さらに、シール部端１０は、蓋材フィルム１２とカップ材１３が未接着の部分であり、このシール部端１０を保持し蓋材フィルム１２をカップ材１３より剥がすよう構成されている。【００３０】  また、破裂部６は、液剤収納部４の押圧によって剥離されるように蓋材フィルム１２とカップ材１３を弱シールすることで形成されており、また、破裂部６と塗布器具収納部５の間に設けられた連結道７は、分散した液剤同士がやや液剤収納部４側へ向かって衝突するよう構成されている。【００３１】  次に、本発明における塗布器具包装体の実施例１の作用を説明する。【００３２】  実施例１の塗布器具包装体１において、塗布器具１５を使用する際は、液剤収納部４を押圧することにより、破裂部６における蓋材フィルム１２とカップ材１３の弱シールが剥離され、液剤収納部４に収納されていた液剤１１が連結道７を通る過程で、分散した液剤１１同士が衝突し、塗布器具収納部５に吐出することで塗布器具１５の液剤含浸部２に含浸し、その後、シール部端１０を保持しシール部９を剥がすことで液剤を含浸させた塗布器具１５を取り出し、使用する。【００３３】  特に実施例１では、連結道７は２本の曲線状であり、液剤１１が連結道７を分散して進んだ後、合流する際に、双方の液剤１１をやや液剤収納部４の方向に向けて衝突させることで、液剤１１が塗布器具収納部５への吐出速度をより低下させている。【００３４】  上記の構造により、液剤収納部４への過度の押圧によって破裂部６が破裂した際も、液剤１１の吐出速度を低下させるため、液剤１１が把持部３等へ飛散することを防止できる。【００３５】  また、連結道７の形状は、曲線状に限定されるものではなく、液剤１１同士を衝突させ、液剤１１の吐出速度を低下させる目的を達成し得る場合は、どのような形状でもよい。
【実施例２】
【００３６】  次に、本発明における塗布器具包装体の実施例２の連結道の拡大平面図を、図４に示す。ここで、図中の符号が図３と同一である部分は同一物を表している。【００３７】  実施例２は、実施例１と略同様の塗布器具包装体であるが、連結道７を備えると共に、連結道７と塗布器具収納部５との間に第二の連結道７ａを備えている。【００３８】  次に、本発明における塗布器具包装体の実施例２の作用を説明する。【００３９】  実施例２の塗布器具包装体の使用方法は実施例１と同様である。しかし、連結道７を備えると共に連結道を複数段階で構成することによって、液剤１１同士の衝突回数が増え、液剤収納部４の押圧により液剤１１が塗布器具収納部５へ吐出する速度を実施例１より低下させている。【００４０】  ここで、複数段階による連結道の形状は、同一形状または相似形状の複数構成に限定されるものではなく、衝突回数が増加する目的を達成し得る場合であれば、どのような形状でもよい。【００４１】  なお、本発明における連結道の形状は、上記実施例のみに限定されるものではなく、液剤１１同士の衝突により、液剤１１が塗布器具収納部５へ吐出する速度を低下させ得る構造であれば、どのような形状でもよく、本発明の要旨を逸脱しない範囲内であれば種々に渡り変更を加え得ることは勿論である。
【実施例３】
【００４２】  次に、本発明における塗布器具包装体の実施例３を図５に示す。ここで、図中の符号が図１と同一である部分は同一物を表している。【００４３】  実施例３の塗布器具包装体１は、実施例１と略同様であるが、蓋材フィルム１２とカップ材１３を接着する際に、シール部９と強シール部８でシール強度を分けた塗布器具包装体である。【００４４】  実施例３の塗布器具包装体１から塗布器具１５を取り出す時、シール部端１０を保持し蓋材フィルム１２を剥がす際に、容易に剥がし得る部分はシール部９の領域のみであり、強シール部８の領域は容易には剥がし得ない強さでシールされているため、塗布器具１５を容易に取り出すことができる部位まで蓋材フィルム１２を剥がし得る構造になっている。【００４５】  ここで、シールの強度は、シール温度、シール圧力、シール時間及びシールの深さで独立的に調整し得るものである。【００４６】  また、強シール部８は、シール温度、シール圧力、シール時間及びシールの深さを調整することにより、容易には剥離し得ない強固なシールを形成させている。【００４７】  ここで、シール部９の強度は、たとえば手で容易に開封できる強度であればよいが、具体的には、塗布器具包装体の形状において２０〜５００ｇが好ましく、さらにその中でも、塗布器具包装体の製造、輸送及び使用等を総合的に考慮するに５０ｇ〜３００ｇが好ましい。【００４８】  また、強シール部８の強度は、たとえば手で容易に開封できない強度であればよいが、具体的には１０００ｇ／１５ｍｍ以上が好ましく、さらにその中でも、塗布器具包装体の製造、輸送及び使用等を総合的に考慮するに１５００ｇ〜２５００ｇ／１５ｍｍが好ましい。【００４９】  また、容易に取り出すことができる部位とは、塗布器具１５を取り出す際に未剥離の蓋材フィルム１２によって取り出しを妨害される、または蓋材フィルム１２を液剤収納部４まで剥がしてしまうことにより、液剤収納部４に残存する液剤１１が零れ、または液剤１１が液剤収納部４から飛散し、手や衣服、床面等を汚すことを避けて塗布器具１５を塗布器具包装体１から取り出すことができる部位を示し、また、この部位は、塗布器具包装体１及び内封される塗布器具１５の形状または大きさによって自由に部位を定められるものであるが、連結道７と塗布器具収納部５の境界から、収納されている塗布器具１５の把持部３へ向かって２ｃｍ以内であることが好ましい。【００５０】  次に、本発明における塗布器具包装体の実施例３の作用を説明する。【００５１】  実施例３の塗布器具包装体１は、塗布器具１５の液剤含浸部２に液剤１１を含浸させた後、蓋材フィルム１２を剥がして塗布器具１５を取り出す際、蓋材フィルム１２を剥がしていくと強シール部８とシール部９との境界１８に差し掛かったところで止まり、それ以上は蓋材フィルム１２を剥がすことができないため、液剤収納部４まで蓋材フィルム１２を剥がしてしまうことによって液剤収納部４に残存する液剤１１が零れ、または液剤１１が液剤収納部４から飛散し、手や衣服、床面等を汚すことを避けることができる。【００５２】  また、強シール部８とシール部９の境界１８を、蓋材フィルム１２を剥がした際に塗布器具１５を容易に取り出��ことができる部位に設定することにより、蓋材フィルム１２を剥がし得る部位まで剥がすことで、塗布器具１５を容易に取り出すことができる。
【実施例４】
【００５３】  次に、本発明における塗布器具包装体の実施例４として、塗布器具包装体１の蓋材フィルム１２を剥がした後の形態を図６に示す。ここで、図中の符号が図２と同一である部分は同一物を表している。【００５４】  実施例４の塗布器具包装体１は、実施例１と略同様であるが、蓋材フィルム１２にポリプロピレン系素材を用い、蓋材フィルム１２に熱加工処理を施すことで、蓋材フィルム１２の外表面の結晶構造を変化させている。【００５５】  この熱加工処理による外表面の結晶構造の変化により、蓋材フィルム１２にはカップ材１３から離れる向きの癖がつけられている。【００５６】  ここで、蓋材フィルム１２は、結晶構造を変化させ得る素材であるが、ポリプロピレン系素材に限らず、結晶性プラスティック素材であればよいが、その中でもポリプロピレン系、ポリエチレン系、ポリアミド系、ポリアセタール系、ポリブチレンテレフタレート系、ポリエチレンテレフタレート系のうち、いずれか１つを含む素材であることが好ましい。【００５７】  次に、本発明における塗布器具包装体の実施例４の作用を説明する。【００５８】  実施例４の塗布器具包装体１は、塗布器具包装体１を開封した後、蓋材フィルム１２にカップ材１３から離れる向きの癖がつけてあるため、たとえば手で蓋材フィルム１２を剥がした後、その手を蓋材フィルム１２から離しても、蓋材フィルム１２が再びカップ材１３の剥離した部位を覆うことがなく、塗布器具１５の取り出しを容易にする。
【図面の簡単な説明】
【００５９】
【図１】本発明における塗布器具包装体の実施例１を示す平面図である。
【図２】同上実施例１の側面図である。
【図３】同上実施例１の連結道の拡大図である。
【図４】本発明における塗布器具包装体の実施例２示す連結道の拡大平面図である。
【図５】本発明における塗布器具包装体の実施例３を示す平面図である。
【図６】本発明における塗布器具包装体の実施例４を示す側面図である。
【符号の説明】
【００６０】１  塗布器具包装体
２  液剤含浸部
３  把持部
４  液剤収納部
５  塗布器具収納部
６  破裂部
７  連結道
７ａ  第二の連結道
８  強シール部
９  シール部
１０  シール部端
１１  液剤
１２  蓋材フィルム
１３  カップ材
１４  隙間
１５  塗布器具
１６  液剤含浸後の液剤収納部
１７  液剤含浸後の液剤含浸部
１８  強シール部８とシール部９との境界
【図１】
2008120450.tif 000003
【図２】
2008120450.tif 000004
【図３】
2008120450.tif 000005
【図４】
2008120450.tif 000006
【図５】
2008120450.tif 000007
【図６】
2008120450.tif 000008